(57)【要約】データ伝送方法、プロセッサ及び端末である。本発明の実施例のデータ伝送方法において、プロセッサはＲＧＢデータをＰｅｎｔｉｌｅデータに変換し、変換された当該Ｐｅｎｔｉｌｅデータを表示駆動システムに送信し、前記表示駆動システムに前記Ｐｅｎｔｉｌｅデータから変換された駆動信号を表示システムに送信させることを含む。これによって、余分のチップを別途使用する必要がないため、ハードウェアのコストを省き、伝送時の消費パワー及び電力消耗量を低減することが可能となる。
2017501436.tif 000002
【特許請求の範囲】
【請求項１】
プロセッサが３原色ＲＧＢデータを画素配列Ｐｅｎｔｉｌｅデータに変換することと、
前記プロセッサが変換された前記Ｐｅｎｔｉｌｅデータを表示駆動システムに送信し、前記表示駆動システムに前記Ｐｅｎｔｉｌｅデータから変換された駆動信号を表示システムに送信することとを含み、
前記プロセッサ、前記表示駆動システム及び前記表示システムは同一の端末に所属することを特徴とするデータ伝送方法。
【請求項２】
前記プロセッサが３原色ＲＧＢデータからＰｅｎｔｉｌｅデータに変換するステップは、
前記プロセッサが前記ＧＲＢデータをＲＧＢＰｅｎｔｉｌｅデータに変換し、もしくは、前記プロセッサが前記ＧＲＢデータを４原色Ｐｅｎｔｉｌｅデータに変換することを含むことを特徴とする、請求項１に記載のデータ伝送方法。
【請求項３】
変換された前記Ｐｅｎｔｉｌｅデータが前記４原色Ｐｅｎｔｉｌｅデータである場合、前記プロセッサが変換された前記Ｐｅｎｔｉｌｅデータを表示駆動システムに送信するステップは、
前記プロセッサが、前記４原色Ｐｅｎｔｉｌｅデータに含まれる異なる色の４つのサブ画素を２組に区画することと、
前記プロセッサが、各組における異なる色の２つのサブ画素を用いて１画素を生成することを含み、
前記４原色Ｐｅｎｔｉｌｅデータから複数の画素を生成し、
前記プロセッサは、生成された各々の前記画素を前記表示駆動システムに送信することを特徴とする、請求項２に記載のデータ伝送方法。
【請求項４】
変換された前記ＰｅｎｔｉｌｅデータがＲＧＢＰｅｎｔｉｌｅデータである場合、前記プロセッサが変換された前記Ｐｅｎｔｉｌｅデータを表示駆動システムに送信するステップは、
前記プロセッサが、ＲＧＢＰｅｎｔｉｌｅデータに含まれる３種の異なる色の中から１種の色の一つのサブ画素を共通サブ画素として選択するとともに、前記共通サブ画素をそれぞれ選択されていない２つの異なる色のサブ画素と組み合わせて１画素ずつ構成することと、
前記プロセッサが生成された各々の前記画素を前記表示駆動システムに送信することとを含み、
前記ＲＧＢＰｅｎｔｉｌｅデータから複数の画素が生成されることを特徴とする、請求項２に記載のデータ伝送方法。
【請求項５】
３原色ＧＲＢデータを画素配列Ｐｅｎｔｉｌｅデータに変換する変換ユニットと、
変換された前記Ｐｅｎｔｉｌｅデータを表示駆動システムに送信し、前記表示駆動システムに前記Ｐｅｎｔｉｌｅデータから変換された駆動信号を表示システムに送信させる送信ユニットとを備え、
前記プロセッサ、前記表示駆動システム及び前記表示システムが同一の端末に所属することを特徴とするプロセッサ。
【請求項６】
前記変換ユニットは、
前記ＲＧＢデータをＲＧＢＰｅｎｔｉｌｅデータに変換するための第１の変換サブユニット、または、
前記ＧＲＢデータを４原色Ｐｅｎｔｉｌｅデータに変換するための第２の変換サブユニットを備えることを特徴とする、請求項５に記載のプロセッサ。
【請求項７】
前記送信ユニットは、
変換された前記ＰｅｎｔｉｌｅデータがＲＧＢＰｅｎｔｉｌｅデータである場合、複数の画素が生成されるＲＧＢＰｅｎｔｉｌｅデータに含まれる３種の異なる色の中から１種の色の一つのサブ画素を共通サブ画素として選択するとともに、前記共通サブ画素をそれぞれ選択されていない２つの異なる色のサブ画素と組み合わせて１画素ずつ構成するための選択生成サブユニットと、
生成された各々の前記画素を前記表示駆動システムに送信する第１の送信サブユニットとを備えることを特徴とする請求項６に記載のプロセッサ。
【請求項８】
前記送信ユニットは、
変換された前記Ｐｅｎｔｉｌｅデータが前記４原色Ｐｅｎｔｉｌｅデータである場合、複数の画素を生成する前記４原色Ｐｅｎｔｉｌｅデータに含まれる異なる色の４つのサブ画素を２組に区画するための区画サブユニットと、
各組における異なる色の２つのサブ画素を用いて１画素を生成するための生成サブユニットと、
生成された各々の前記画素を前記表示駆動システムに送信するための第２の送信サブユニットとを備えることを特徴とする、請求項６に記載のプロセッサ。
【請求項９】
３原色ＲＧＢデータを画素配列Ｐｅｎｔｉｌｅデータに変換するとともに、変換された前記Ｐｅｎｔｉｌｅデータを前記表示駆動システムに送信するためのプロセッサと、
前記Ｐｅｎｔｉｌｅデータから変換された駆動信号を表示システムに送信するための表示駆動システムと、
受信された駆動信号に基づいて映像を表示するための表示システムとを備えることを特徴とする端末。
【請求項１０】
前記プロセッサは、さらに、前記ＲＧＢデータをＲＧＢＰｅｎｔｉｌｅデータに変換しすること、または、
前記ＧＲＢデータを４原色Ｐｅｎｔｉｌｅデータに変換すること、
に用いられることを特徴とする、請求項９に記載の端末。
【請求項１１】
前記プロセッサは、さらに、以下：
変換された前記Ｐｅｎｔｉｌｅデータが前記４原色Ｐｅｎｔｉｌｅデータである場合、複数の画素を生成する前記４原色Ｐｅｎｔｉｌｅデータに含まれる異なる色の４つのサブ画素を２組に区画することと、
各組における異なる色の２つのサブ画素を用いて１画素を生成することと、
生成された各々の前記画素を前記表示駆動システムに送信すること、
とを含むフローを実行することを特徴とする、請求項１０に記載の端末。
【請求項１２】
前記プロセッサは、さらに、以下：
変換された前記ＰｅｎｔｉｌｅデータがＲＧＢＰｅｎｔｉｌｅデータである場合、複数の画素を生成するＲＧＢＰｅｎｔｉｌｅデータに含まれる３種の異なる色の中から１種の色の一つのサブ画素を共通サブ画素として選択するとともに、前記共通サブ画素をそれぞれ選択されていない２つの異なる色のサブ画素と組み合わせて１画素ずつ構成することと、
生成された各々の前記画素を前記表示駆動システムに送信すること、
とを含むフローを実行することを特徴とする、請求項１０に記載の端末。
【発明の詳細な説明】
【技術分野】
【０００１】
本出願は、２０１３年１１月２６日に中国特許局へ提出した、出願番号が２０１３１０６１１５０９．５、発明の名称が「データ伝送方法、プロセッサ及び端末」である中国特許出願に基づいた優先権を主張し、援用によってその内容のすべてを本出願に組み入れる。
【０００２】
本発明の実施例は通信の技術分野に関し、特に、データ伝送方法、プロセッサ及び端末に関する。
【背景技術】
【０００３】
画素配列（Ｐｅｎｔｉｌｅ）は配列方式の一種であり、主として、赤・緑・青・白（ＲＧＢＷ）や赤・緑・青・黄（ＲＧＢＹ）などが含まれる。現在の表示機器は、Ｐｅｎｔｉｌｅが適用されている。４原色画素のＰｅｎｔｉｌｅ配列方式は、何れも３原色の上で１つのサブ画素を追加したものである。異なる４原色画素は３原色に比べて異なる利点があり、例えばＲＧＢＷは液晶表示ディスプレイ（ＬＣＤ、Ｌｉｑｕｉｄ Ｃｒｙｓｔａｌ Ｄｉｓｐｌａｙ）によるバックライトへの使用効率を高めたり、ＬＣＤの表示明度を増加したり、ＬＣＤの消費パワーを低減したりすることができる一方、ＲＧＢＹはＬＣＤの色域の範囲を拡大することが可能である。
【０００４】
従来技術において、Ｐｅｎｔｉｌｅデータを端末の表示システムに伝送するために、同端末に他の一つのチップを別途追加する必要がある。このように、ハードウェアのコストが増えるのみならず、伝送時の消費パワー及び電力消耗量も増加する。
【発明の概要】
【発明が解決しようとする課題】
【０００５】
本発明の実施例は、ハードウェアのコストを省き、且つ伝送時の消費パワー及び電力消耗量を低減させることができるデータ伝送方法、プロセッサ及び端末を提供する。
【課題を解決するための手段】
【０００６】
本発明の実施例は、プロセッサがＲＧＢデータをＰｅｎｔｉｌｅデータに変換し、変換されたＰｅｎｔｉｌｅデータを表示駆動システムに送信し、表示駆動システムにＰｅｎｔｉｌｅデータから変換された駆動信号を表示システムに送信させることが含まれるデータ伝送方法を提供する。ここで、プロセッサ、表示駆動システム及び表示システムは同一の端末に所属する。
【０００７】
本発明の実施例は、ＲＧＢデータをＰｅｎｔｉｌｅデータに変換する変換ユニットと、変換されたＰｅｎｔｉｌｅデータを表示駆動システムに送信し、表示駆動システムにＰｅｎｔｉｌｅデータから変換された駆動信号を表示システムに送信させる送信ユニットとを備えるプロセッサを提供する。ここで、プロセッサ、表示駆動システム及び表示システムは同一の端末に所属する。
【０００８】
本発明の実施例は、ＲＧＢデータをＰｅｎｔｉｌｅデータに変換するとともに、変換されたＰｅｎｔｉｌｅデータを表示駆動システムに送信するプロセッサと、Ｐｅｎｔｉｌｅデータから変換された駆動信号を表示システムに送信する表示駆動システムと、受信された駆動信号に基づいて映像を表示する表示システムとを備える端末を提供する。
【発明の効果】
【０００９】
以上の技術案から見出すように、本発明の実施例は以下の利点を有する。本発明の実施例において、プロセッサは３原色ＲＧＢデータをＰｅｎｔｉｌｅデータに変換し、変換された前記Ｐｅｎｔｉｌｅデータを表示駆動システムに送信し、前記表示駆動システムに前記Ｐｅｎｔｉｌｅデータから変換された駆動信号を表示システムに送信させる。これによって、端末自体付きのプロセッサをそのまま使用でき、余分のチップを別途使用する必要がないため、ハードウェアのコストを省きつつ、伝送時の消費パワー及び電力消耗量を低減することが可能となる。本発明の実施例の技術案を更に明確に説明するために、以下、実施例において使われる必要がある図面について簡単に説明する。以下の図面は、本発明の幾つかの実施例に過ぎず、進歩性に値する労働を付しない前提で、これらの図面によって、他の図面を取得することができることは、当業者にとっては明白であろう。
【図面の簡単な説明】
【００１０】
【図１】本発明の実施例におけるデータ伝送方法の一実施例の模式図である。
【図２】本発明の実施例におけるデータ伝送方法の別の一実施例の模式図である。
【図３】本発明の実施例におけるＲＧＢ  Ｐｅｎｔｉｌｅの配列模式図である。
【図４】本発明の実施例におけるデータ伝送方法の別の一実施例の模式図である。
【図５】本発明の実施例におけるＲＧＢＷ  Ｐｅｎｔｉｌｅの配列模式図である。
【図６】本発明の実施例におけるプロセッサの一実施例の模式図である。
【図７】本発明の実施例におけるプロセッサの別の一実施例の模式図である。
【図８】本発明の実施例におけるプロセッサの別の一実施例の模式図である。
【図９】本発明の実施例における端末の一実施例の模式図である。
【発明を実施するための形態】
【００１１】
本発明の実施例は、ハードウェアのコストを省き、且つ伝送時の消費パワー及び電力消耗量を低減させることができるデータ伝送方法、プロセッサ及び端末を提供する。
【実施例】
【００１２】
図１を参照して、本発明の実施例におけるデータ伝送方法の一実施例において、
プロセッサがＲＧＢデータをＰｅｎｔｉｌｅデータに変換するステップ１０１が含まれる。
【００１３】
本実施例において、プロセッサはＲＧＢデータをＰｅｎｔｉｌｅデータに変換することができる。実際の適用上、Ｐｅｎｔｉｌｅは、Ｐｅｎｔｉｌｅ ＲＧＢや、Ｐｅｎｔｉｌｅ ＲＧＷや、Ｐｅｎｔｉｌｅ ＲＧＢＹなど種々の画素配列を含む。
【００１４】
プロセッサが変換された該Ｐｅｎｔｉｌｅデータを表示駆動システムに送信し、該表示駆動システムに該Ｐｅｎｔｉｌｅデータから変換された駆動信号を表示システムに送信させるステップ１０２が含まれる。
【００１５】
本実施例において、プロセッサは変換された該Ｐｅｎｔｉｌｅデータを表示駆動システムに送信することにより、該表示駆動システムに該Ｐｅｎｔｉｌｅデータから変換された駆動信号を表示システムに送信させる。該プロセッサ、該表示駆動システム及び該表示システムは同一の端末に所属し、実際の適用上、該端末としては、手持ちの機器やテレビやパソコンなどの機器であってもよい。
【００１６】
説明すべきこととして、該プロセッサは端末自体の中央演算処理装置（ＣＰＵ、ｃｅｎｔｒａｌ ｐｒｏｃｅｓｓｉｎｇ ｕｎｉｔ）である。
【００１７】
本実施例において、プロセッサによりＲＧＢデータをＰｅｎｔｉｌｅデータに変換し、プロセッサは、変換された該Ｐｅｎｔｉｌｅデータを表示駆動システムに送信し、該表示駆動システムに該Ｐｅｎｔｉｌｅデータから変換された駆動信号を表示システムに送信する。これによって、端末自体に備えられるプロセッサのみを使用して変換し、余分のチップを使用する必要がないため、ハードウェアのコストを省き、伝送用の消費パワー及び電力消費量を低減することが可能となる。
【００１８】
便宜に理解するために、以下、一つの具体的な実際例で本発明実施例のデータ伝送方法について説明する。ＰｅｎｔｉｌｅデータがＲＧＢ Ｐｅｎｔｉｌｅデータであると、図２を参照して、本発明の実施例におけるデータ伝送方法の別の一実施例において、以下のステップを含む；
プロセッサには、ＲＧＢデータをＲＧＢＰｅｎｔｉｌｅデータに変換するステップ２０１が含まれる。
【００１９】
ここで、本実施例において、プロセッサは正規のＲＧＢデータをＲＧＢ Ｐｅｎｔｉｌｅデータに変換することができる。具体的な変換過程は従来の技術に掲示されているので、ここでは贅言を費やすまでもない。
【００２０】
プロセッサが、ＲＧＢＰｅｎｔｉｌｅデータに含まれる３種の異なる色の中から１種の色の一つのサブ画素を共通サブ画素として選択するとともに、該共通サブ画素をそれぞれ選択されていない２つの異なる色のサブ画素と組み合わせて１画素ずつ構成するステップ２０２が含まれる。
【００２１】
ここで、本実施例において、プロセッサは、複数の画素を生成するＲＧＢＰｅｎｔｉｌｅデータに含まれる３種の異なる色の中から１種の色の一つのサブ画素を共通サブ画素として選択し、その後、該共通サブ画素をそれぞれ選択されていない２つの異なる色のサブ画素と組み合わせて１画素ずつ構成することができる。実際の適用上、共通サブ画素はランダムに選択されるものである。
【００２２】
図３を参照して、図３は、ＲＧＢＰｅｎｔｉｌｅデータの配列模式図である。なお、夫々の長方形の枠は１つのサブ画素を示し、枠中の文字は該サブ画素の色である。例えば、赤色を共通サブ画素として選定すると、赤色と緑色とから１画素（例えば、図３の画素Ａ）を構成し、赤色と青色とから１画素（例えば、図３の画素Ｂ）を構成する。こうして、ＲＧＢＰｅｎｔｉｌｅデータは、赤色と緑色、赤色と青色から構成される画素とに区画されている。
【００２３】
プロセッサが生成された夫々の画素を表示駆動システムに送信するステップ２０３が含まれる。
【００２４】
本実施例において、プロセッサは生成された各々の画素を表示駆動システムに送信し、該表示駆動システムに、ＲＧＢＰｅｎｔｉｌｅデータから変換した駆動信号を表示システムに送信させるようにする。
【００２５】
以下、携帯電話を例として、プロセッサによってＲＧＢＰｅｎｔｉｌｅデータが表示駆動システムに送信される伝送速度について説明する。
【００２６】
携帯電話にハイディフィニション（ＨＤ、Ｈｉｇｈ Ｄｅｆｉｎｉｔｉｏｎ）７２０Ｐの画像を表示させ、チャンネル２：モバイル産業プロセッサインタフェース（ＭＩＰＩ、Ｍｏｂｉｌｅ Ｉｎｄｕｓｔｒｙ Ｐｒｏｃｅｓｓｏｒ Ｉｎｔｅｒｆａｃｅ）を経由して伝送する場合、１枚の画像の伝送データサイズは１２８０*７２０*２*８であり、フレーム周波数を６０とすると、ＭＩＰＩインタフェースを経由する伝送速度は僅か５５０Ｍｈｚだけで済む。一方、従来技術においては、プロセッサはＲＧＢデータを別のチップに伝送する必要があるため、同様のＭＩＰＩインタフェースを経由した１枚の画像の伝送データサイズは、１２８０*７２０*３*８となり、フレーム周波数を６０とすると、８５０Ｍｈｚの伝送速度が必要であり、さらに、別のチップを経由してＰｅｎｔｉｌｅデータを表示駆動システムに伝送する必要がある。こうして比較すれば見出されるように、本発明は、データの伝送帯域幅を低減し、且つ伝送時の消費パワー及び電力消耗量を減少することができる。
【００２７】
本実施例において、プロセッサは、ＲＧＢデータをＲＧＢＰｅｎｔｉｌｅデータに変換し、その後、ＲＧＢＰｅｎｔｉｌｅデータに含まれる３種の異なる色の中から１種の色の一つのサブ画素を共通サブ画素として選択するとともに、該共通サブ画素をそれぞれ選択されていない２つの異なる色のサブ画素と組み合わせて１画素ずつ生成し、生成された各々の画素を表示駆動システムに送信し、表示駆動システムに、Ｐｅｎｔｉｌｅデータから変換された駆動信号を表示システムに送信させる。これによると、端末自体に備えられたプロセッサを介して毎回２つのサブ画素しか表示駆動システムに伝送されないため、データの伝送帯域が低減されるだけでなく、伝送時の消費パワー及び電力消耗量を低減することもできる。
【００２８】
技術案の理解の簡便のために、以下に、１つの具体的な実際例によって本発明の実施例のデータ伝送方法について説明する。Ｐｅｎｔｉｌｅデータが４原色 Ｐｅｎｔｉｌｅデータである場合に、図４を参照して、本発明の実施例におけるデータ伝送方法の別の一実施例においては、
プロセッサがＲＧＢデータを４原色Ｐｅｎｔｉｌｅデータに変換するステップ４０１が含まれる。
【００２９】
本実施例において、プロセッサはＲＧＢデータを４原色Ｐｅｎｔｉｌｅデータに変換することができる。なお、ＲＧＢデータから変換された４原色Ｐｅｎｔｉｌｅデータは、ＲＧＢＷ Ｐｅｎｔｉｌｅデータ、ＲＧＢＹ Ｐｅｎｔｉｌｅデータなどを含む。実際の適用上、ＲＧＢＷは３原色の上で白色を追加したものとなり、ＲＧＢＹは３原色を基礎として黄色を追加したものとなる。
【００３０】
プロセッサが４原色Ｐｅｎｔｉｌｅデータに含まれる異なる色の４つのサブ画素を２組に区画するステップ４０２が含まれる。
【００３１】
スプロセッサが各組における異なる色の２つのサブ画素を用いて１画素を生成するステップ４０３が含まれる。
【００３２】
本実施例において、プロセッサは４原色Ｐｅｎｔｉｌｅデータに含まれる異なる色の４つのサブ画素を２組に区画することができる。実際の適用上、プロセッサは２種の異なる色をランダムに選択して１組とすることができる。
【００３３】
図５を参照して、図５はＲＧＢＷ Ｐｅｎｔｉｌｅデータの配列模式図である。なお、それぞれの長方形の枠は１つのサブ画素を示し、枠中の文字は該サブ画素の色である。ＲＧＢＷ Ｐｅｎｔｉｌｅは４種の色、即ち赤色、青色、緑色及び白色からなる。ここで、仮に青色と白色とを１組、緑色と赤色とを１組とすると、青色及び白色の２つのサブ画素から１画素（図５中の画素Ｃ）が生成され、緑色及び赤色との２つのサブ画素から１画素（図５中の画素Ｄ）が生成される。
【００３４】
４原色Ｐｅｎｔｉｌｅデータに複数のサブ画素が含まれているので、複数の画素を生成することができる。
【００３５】
プロセッサが生成された各々の画素を表示駆動システムに送信するステップ４０４が含まれる。
【００３６】
本実施例において、プロセッサは生成された各々の画素を表示駆動システムに送信し、表示駆動システムに４原色Ｐｅｎｔｉｌｅデータから変換された駆動信号を表示システムに送信させることが可能となる。
【００３７】
以下、パソコンを例として、プロセッサはＲＧＢＷ  Ｐeｎｔｉｌｅデータを表示駆動システムに送信する伝送速度について説明する。
【００３８】
プロセッサは２Ｋ４Ｋ ＲＧＢ画面を表示システムに伝送する場合、伝送速度を１フレーム当たりに６０Ｈｚとすると、プロセッサからＲＧＢＷを表示システムに伝送するに、１秒あたりに８*１０６*２*８*６０=７．６Ｇｂｐｓしかかからない。一方、従来技術において、プロセッサはＲＧＢデータを別のチップに伝送する必要があり、同じく２Ｋ４Ｋ ＲＧＢ画面を伝送し、かつ伝送速度が同じ場合には、１秒あたり８*１０６*３*８*６０=１１．５Ｇｂｐｓもかかった。また、別のチップを介してＰｅｎｔｉｌｅデータを表示駆動システムに伝送する必要がある。こうして比較すれば見出されるように、本発明は、伝送時の消費パワー及び電力消耗量を低減することができる。
【００３９】
本実施例において、プロセッサは、ＲＧＢデータを４原色Ｐｅｎｔｉｌｅデータに変換し、且つ４原色Ｐｅｎｔｉｌｅデータに含まれる色が異なる４つのサブ画素を２組に区画し、各組における異なる色の２つのサブ画素を用いて１画素を生成する。なお、４原色Ｐｅｎｔｉｌｅデータから複数の画素が生成され、プロセッサは、生成された各々の画素を表示駆動システムに送信する。これによって、端末自体に備えられたプロセッサを介して毎回に２つのサブ画素しか表示駆動システムに伝送しないため、ハードウェアのコストを省くばかりか、伝送時の消費パワー及び電力消耗量を低減することもできる。
【００４０】
以下、前記データ伝送方法を実行するための、本発明の実施例に係るプロセッサについて説明する。図６を参照しその基本的な論理構造を説明する。本発明の実施例におけるプロセッサの一実施例として、ＲＧＢデータをＰｅｎｔｉｌｅデータに変換する変換ユニット６０１と、変換されたＰｅｎｔｉｌｅデータを表示駆動システムに送信し、前記表示駆動システムに前記Ｐｅｎｔｉｌｅデータから変換された駆動信号を表示システムに送信させる送信ユニット６０２とを備え、ここで、プロセッサ、表示駆動システム及び表示システムは同一の端末に所属する。
【００４１】
本実施例において、プロセッサは、変換ユニット６０１によりＲＧＢデータをＰｅｎｔｉｌｅデータに変換し、その後、送信ユニット６０２により、変換されたＰｅｎｔｉｌｅデータを表示駆動システムに送信し、表示駆動システムにＰｅｎｔｉｌｅデータから変換された駆動信号を表示システムに送信させる。このように、余分のチップを別途使用する必要がないため、ハードウェアのコストを省き、伝送時の消費パワー及び電力消耗量を低減させることができる。
【００４２】
前記実施例を更に良好に理解するために、以下、一つの具体的な実施例におけるプロセッサに備えられる各部材の対話で、プロセッサのデータ対話方式について説明する。ＰｅｎｔｉｌｅデータはＲＧＢ Ｐｅｎｔｉｌｅデータである場合、図７の本発明の実施例におけるプロセッサの別の一実施例を参照してもよい。このプロセッサは、変換ユニット７０１と、送信ユニット７０２とを備え、変換ユニット７０１は、第１の変換サブユニット７０１１を備え、送信ユニット７０２は、選択生成サブユニット７０２１と、第１の送信サブユニット７０２２とを備える。
【００４３】
第１の変換サブユニット７０１１は、ＲＧＢデータをＲＧＢＰｅｎｔｉｌｅデータに変換し、その後、変換されたＲＧＢＰｅｎｔｉｌｅデータを選択生成サブユニット７０２１に送信する。
【００４４】
変換されたＰｅｎｔｉｌｅデータがＲＧＢＰｅｎｔｉｌｅデータである場合、選択生成サブユニット７０２１は、複数の画素を生成するＲＧＢＰｅｎｔｉｌｅデータに含まれる３種の異なる色の中から１種の色の一つのサブ画素を共通サブ画素として選択するとともに、共通サブ画素をそれぞれ選択されていない２つの異なる色のサブ画素と組み合わせて１画素ずつ構成し、その後、生成された夫々の画素を第１の送信サブユニット７０２２に送信する。実際の適用上、共通サブ画素はランダムに選択されるものである。例えば、図３を参照して、赤色を共通サブ画素と選定すると、赤色と緑色とから１画素（例えば図３中の画素Ａ）を構成し、赤色と青色とから１画素（例えば図３中の画素Ｂ）を構成することにより、ＲＧＢＰｅｎｔｉｌｅデータは、赤色と緑色と、赤色と青色とから構成される画素に区画される。
【００４５】
第１の送信サブユニット７０２２は生成された夫々の画素を表示駆動システムに送信し、該表示駆動システムにＲＧＢＰｅｎｔｉｌｅデータから変換された駆動信号を表示システムに送信させることができる。
【００４６】
本実施例において、プロセッサは第１の変換サブユニット７０１１によりＲＧＢデータをＲＧＢＰｅｎｔｉｌｅデータに変換し、変換されたＰｅｎｔｉｌｅデータがＲＧＢＰｅｎｔｉｌｅデータである場合、選択生成サブユニット７０２１は、複数の画素を生成するＲＧＢＰｅｎｔｉｌｅデータに含まれる３種の異なる色の中から１種の色の一つのサブ画素を共通サブ画素として選択するとともに、共通サブ画素をそれぞれ選択されていない２つの異なる色のサブ画素と組み合わせて１画素ずつ構成し、その後、第１の送信サブユニット７０２２は生成された夫々の画素を表示駆動システムに送信することができる。
【００４７】
前記実施例を更に良好に理解するために、以下、一つの具体的な実施例におけるプロセッサに備えられる各部材の対話で、プロセッサのデータ対話方式について説明する。Ｐｅｎｔｉｌｅデータは４原色 Ｐｅｎｔｉｌｅデータである場合、図８の本発明の実施例におけるプロセッサの別の一実施例を参照してもよい。このプロセッサは、変換ユニット８０１と、送信ユニット８０２とを備え、変換ユニット８０１は、第２の変換サブユニット８０１１を備え、送信ユニット８０２は、区画サブユニット８０２１と、生成サブユニット８０２２と、第２の送信サブユニットとを備える。
【００４８】
第２の変換サブユニット８０１１は、ＲＧＢデータを４原色Ｐｅｎｔｉｌｅデータに変換し、その後、変換された４原色Ｐｅｎｔｉｌｅデータを区画サブユニット８０２１に送信する。なお、ＲＧＢデータから変換された４原色Ｐｅｎｔｉｌｅデータは、ＲＧＢＷ Ｐｅｎｔｉｌｅデータ、ＲＧＢＹ Ｐｅｎｔｉｌｅデータなどを含む。実際の適用上、ＲＧＢＷは３原色を基礎として白色を追加したものとなり、ＲＧＢＹは３原色を基礎として黄色を追加したものとなる。
【００４９】
変換されたＰｅｎｔｉｌｅデータが４原色Ｐｅｎｔｉｌｅデータである場合、区画サブユニット８０２１は、４原色Ｐｅｎｔｉｌｅデータに含まれる４つの異なる色のサブ画素を２組に区画し、その後、区画結果を生成サブユニット８０２２に送信する。実際の適用上、プロセッサは２種の異なる色をランダムに選択して１組とすることができる。
【００５０】
生成サブユニット８０２２は各組における２つの異なる色のサブ画素を用いて１画素を生成する。なお、４原色Ｐｅｎｔｉｌｅデータに複数のサブ画素が含まれているため、複数の画素を生成することができる。その後、生成された画素を第２の送信サブユニット８０２３に送信する。
【００５１】
図５を参照して、図５はＲＧＢＷ Ｐｅｎｔｉｌｅの配列模式図である。なお、夫々の長方形の枠は１つのサブ画素を示し、枠中の文字は該サブ画素の色である。ＲＧＢＷ Ｐｅｎｔｉｌｅは４種の色、即ち赤色、青色、緑色と白色からなる。ここで、仮に青色と白色を１組とし、緑色と赤色を１組とすると、青色及び白色の２つのサブ画素から１画素（図５中の画素Ｃ）を生成し、緑色及び赤色の２つのサブ画素から１画素（図５中の画素Ｄ）を生成する。
【００５２】
第２の送信サブユニット８０２３は生成された夫々の画素を表示駆動システムに送信し、表示駆動システムに４原色Ｐｅｎｔｉｌｅデータから変換された駆動信号を表示システムに送信させる。
【００５３】
ここで説明すべきこととして、プロセッサ、表示駆動システム及び表示システムは同一の端末に所属する。
【００５４】
本実施例において、プロセッサは第２の変換サブユニット８０１１によりＲＧＢデータを４原色Ｐｅｎｔｉｌｅデータに変換し、その後、区画サブユニット８０２１により、複数の画素を生成する４原色Ｐｅｎｔｉｌｅデータに含まれる４つの異なる色のサブ画素を２組に区画し、その後、生成サブユニット８０２２は各組における２つの異なる色のサブ画素を用いて１画素を生成し、それから、第２の送信サブユニット８０２３により生成された夫々の画素を表示駆動システムに送信する。これによって、端末に備えられたプロセッサを介して毎回２つのサブ画素しか表示駆動システムに伝送しないため、ハードウェアのコストを省くばかりか、伝送時の消費パワー及び電力消耗量を低減させることができる。
【００５５】
以下、前記データ伝送方法を実行するための本発明の実施例における端末について説明する。その基本的な論理構造は、図９の本発明の実施例における端末の一実施例を参照してもよい。この端末は、プロセッサ９０１と、表示駆動システム９０２と、表示システム９０３とを備える。
【００５６】
プロセッサ９０１は、ＲＧＢデータをＰｅｎｔｉｌｅデータに変換するとともに、変換されたＰｅｎｔｉｌｅデータを表示駆動システム９０２に送信するためである。
【００５７】
表示駆動システム９０２は、Ｐｅｎｔｉｌｅデータから変換された駆動信号を表示システム９０３に送信するためである。
【００５８】
表示システム９０３は、受信した駆動信号に基づいて映像を表示するためである。
【００５９】
本実施例において、プロセッサ９０１はＲＧＢデータをＰｅｎｔｉｌｅデータに変換するとともに、変換されたＰｅｎｔｉｌｅデータを表示駆動システム９０２に送信する。表示駆動システム９０２は、Ｐｅｎｔｉｌｅデータから変換された駆動信号を表示システム９０３に送信する。表示システム９０３は、受信された駆動信号に基づいて映像を表示する。これによって、余分のチップを別途使用する必要がないため、ハードウェアのコストを省き、伝送時の消費パワー及び電力消耗量を低減させることができる。
【００６０】
前記実施例を更に良好に理解するために、以下に、
一つの具体的な実施例における端末に備えられる各部材の対話で、端末におけるデータ対話方式について説明する。上記と同様に、図９の本発明の実施例における端末の別の一実施例を参照してもよい。この端末は、プロセッサ９０１と、表示駆動システム９０２と、表示システム９０３とを備える。
【００６１】
プロセッサ９０１は、ＲＧＢデータをＲＧＢ Ｐｅｎｔｉｌｅデータに変換し、複数の画素を生成するＲＧＢＰｅｎｔｉｌｅデータに含まれる３種の異なる色の中から１種の色の一つのサブ画素を共通サブ画素として選択するとともに、前記共通サブ画素をそれぞれ選択されていない２つの異なる色のサブ画素と組み合わせて１画素ずつ生成し、その後、生成された夫々の画素を表示駆動システム９０２に送信する。
【００６２】
表示駆動システム９０２はＰｅｎｔｉｌｅデータから変換された駆動信号を表示システム９０３に送信する。
【００６３】
表示システム９０３は受信された駆動信号に基づいて映像を表示する。
【００６４】
本実施例において、端末はプロセッサ９０１によりＲＧＢデータを変換するとともに、変換されたＰｅｎｔｉｌｅデータを表示駆動システム９０２に送信する。その後、表示駆動システム９０２は、Ｐｅｎｔｉｌｅデータから変換された駆動信号を表示システム９０３に送信する。表示システム９０３は、受信された駆動信号に基づいて映像を表示する。これによって、端末に備えられたプロセッサを介して毎回に２つのサブ画素しか表示駆動システムに伝達しないため、ハードウェアのコストを省くばかりか、伝送時の消費パワー及び電力消耗量を低減することもできる。
【００６５】
前記実施例を更に良好に理解するために、以下、一つの具体的な実施例における端末に備えられる各部材の対話で、端末におけるデータ対話方式について説明する。上記と同様に、図９の本発明の実施例における端末の別の一実施例を参照してもよい。この端末は、プロセッサ９０１と、表示駆動システム９０２と、表示システム９０３とを備える。
【００６６】
プロセッサ９０１はＲＧＢデータを４原色Ｐｅｎｔｉｌｅデータに変換し、複数の画素を生成する４原色Ｐｅｎｔｉｌｅデータに含まれる異なる色の４つのサブ画素を２組に区画し、各組における異なる色の２つのサブ画素を用いて１画素を生成し、生成された各々の画素を表示駆動システム９０２に送信する。
【００６７】
表示駆動システム９０２はＰｅｎｔｉｌｅデータから変換された駆動信号を表示システム９０３に送信する。
【００６８】
表示システム９０３は受信された駆動信号に基づいて映像を表示する。
【００６９】
本実施例において、端末はプロセッサ９０１によりＲＧＢデータを変換するとともに、変換されたＰｅｎｔｉｌｅデータを表示駆動システム９０２に送信する。その後、表示駆動システム９０２は、Ｐｅｎｔｉｌｅデータから変換された駆動信号を表示システム９０３に送信する。表示システム９０３は、受信された駆動信号に基づいて映像を表示する。これによって、端末自体に備えられたプロセッサを介して毎回に２つのサブ画素しか表示駆動システムに伝送しないため、ハードウェアのコストを省くばかりか、伝送時の消費パワー及び電力消耗量を低減することもできる。
【００７０】
説明すべきこととして、本発明の実施例におけるプロセッサは端末自体付きの中央演算処理装置であり、余分のチップやハードウェアなどが別途追加されていない。
【００７１】
記述の便宜及び簡潔上、上述したシステム、装置及びユニットの具体的な作動過程について、前記方法の実施例における該当する過程を参照してもよいので、ここでは、贅言を費やすまでもないことは、当業者にとって明白であろう。
【００７２】
以上の実施例は、本発明の技術案を説明するためのものに過ぎず、これを制限するものではない。前記実施例を参照して本発明について詳しく述べていたが、当業者であれば、前記各実施例に記載の技術案を変更し、あるいは一部の構成要件を同等のものに置換することができ、これらの変更または置換によって、該当技術案の主旨が本発明の各実施例の技術案の精神及び範囲を逸脱することはないと、理解すべきである。
【図１】
2017501436.tif 000003
【図２】
2017501436.tif 000004
【図３】
2017501436.tif 000005
【図４】
2017501436.tif 000006
【図５】
2017501436.tif 000007
【図６】
2017501436.tif 000008
【図７】
2017501436.tif 000009
【図８】
2017501436.tif 000010
【図９】
2017501436.tif 000011
【国際調査報告】
2017501436.tif 000012
2017501436.tif 000013
2017501436.tif 000014
2017501436.tif 000015